(57)【要約】【課題】光の利用効率が低下することなく小型化を図ることができる光源装置及びプロジェクターを提供する。【解決手段】光源装置４は、一対の電極５２Ａ，５２Ｂが配置された発光部５１１を有する発光管５１と、発光部５１１から出射された光を反射させる反射部材６とを備える。反射部材６は、一対の電極５２Ａ，５２Ｂの略中心位置に位置する第１焦点と、当該第１焦点から離間した第２焦点とを焦点とする回転楕円面状にそれぞれ形成された第１反射部６１及び第２反射部６２を備える。第２反射部６２は、反射部材６の光出射前側に位置するとともに、第１反射部６１を仮想的に延長した仮想延長部Ｓに対して第１焦点及び第２焦点を通る仮想的な直線Ｌ１側に位置する。これにより、光源装置４を小型化しつつ、光反射効率の低下を防止する。【選択図】図３
2012194228.tif 000002
【特許請求の範囲】
【請求項１】
内部に一対の電極が配置された発光部を有する発光管と、前記一対の電極間の放電により前記発光部から出射された光を反射させる反射部材とを備えた光源装置であって、
前記反射部材は、
前記一対の電極の略中心位置に位置する第１焦点と、前記第１焦点から離間した第２焦点とを焦点とする回転楕円面状にそれぞれ形成された第１反射部及び第２反射部を備え、
前記第２反射部は、
前記反射部材の光出射前側に位置するとともに、前記第１反射部を仮想的に延長した仮想延長部に対して前記第１焦点及び前記第２焦点を通る仮想的な直線側に位置する
ことを特徴とする光源装置。
【請求項２】
内部に一対の電極が配置された発光部を有する発光管と、前記一対の電極間の放電により前記発光部から出射された光を反射させる反射部材とを備えた光源装置であって、
前記反射部材は、
前記一対の電極の略中心位置に位置する第１焦点を焦点とし、前記発光部からの入射光を反射させ平行化する回転放物面状にそれぞれ形成された第１反射部及び第２反射部を備え、
前記第２反射部は、
前記反射部材の光出射前側に位置するとともに、前記第１反射部を仮想的に延長した仮想延長部に対して前記第１焦点から射出され前記反射部材で反射された光束の中心軸である仮想的な直線側に位置する
ことを特徴とする光源装置。
【請求項３】
請求項１または請求項２に記載の光源装置において、
前記第１反射部及び前記第２反射部を接続する透光性の接続部を備える
ことを特徴とする光源装置。
【請求項４】
請求項１から請求項３のいずれかに記載の光源装置において、
前記発光管は、
前記発光部から延びる封止部を有し、
前記反射部材は、
前記第１反射部及び前記第２反射部を接続する接続部を備え、
前記第１反射部には、前記封止部を固定する固定孔が形成されており、
前記接続部の一部は、
前記発光部から出射された光を前記固定孔に向けて反射させる
ことを特徴とする光源装置。
【請求項５】
請求項１または請求項２に記載の光源装置において、
前記第２反射部は、
前記第１反射部とは別部材で構成されている
ことを特徴とする光源装置。
【請求項６】
光束を変調して画像を形成し、形成した画像を投射するプロジェクターであって、
請求項１から請求項５のいずれかに記載の光源装置を備える
ことを特徴とするプロジェクター。
【発明の詳細な説明】
【技術分野】
【０００１】
本発明は、光源装置及びプロジェクターに関する。
【背景技術】
【０００２】
従来、プロジェクターに用いられる光源装置としては、内部に一対の電極が配置される発光部を有する発光管と、当該一対の電極間の放電により発光部から出射された光を反射させる反射部材とを備えた構成が多用される（例えば、特許文献１参照）。
特許文献１に記載の照明装置（光源装置）では、第１焦点及び第２焦点を焦点とする回転楕円面状の反射部材（第１反射鏡）を備えている。この照明装置は、当該照明装置から出射された光がプロジェクターの厚み方向に対して直交する方向に進行するようにプロジェクターに配置される。
【先行技術文献】
【特許文献】
【０００３】
【特許文献１】国際公開第２００４−０２０８９８号
【発明の概要】
【発明が解決しようとする課題】
【０００４】
ここで、プロジェクターの薄型化を行う場合、光源装置の小型化も必要となってくる。
しかしながら、特許文献１に記載の光源装置を備えたプロジェクターを薄型化しようとすると、プロジェクターの筐体に反射部材が干渉してしまう。
そこで、反射部材の端部を切除して光源装置の小型化を図ることが考えられるが、このように反射部材の端部を切除すると、反射部材における光の反射領域が減少し、光の利用効率が低下するという問題がある。
【０００５】
本発明の目的は、光の利用効率が低下することなく小型化を図ることができる光源装置及びプロジェクターを提供することにある。
【課題を解決するための手段】
【０００６】
本発明の光源装置は、内部に一対の電極が配置された発光部を有する発光管と、前記一対の電極間の放電により前記発光部から出射された光を反射させる反射部材とを備えた光源装置であって、前記反射部材は、前記一対の電極の略中心位置に位置する第１焦点と、前記第１焦点から離間した第２焦点とを焦点とする回転楕円面状にそれぞれ形成された第１反射部及び第２反射部を備え、前記第２反射部は、前記反射部材の光出射前側に位置するとともに、前記第１反射部を仮想的に延長した仮想延長部に対して前記第１焦点及び前記第２焦点を通る仮想的な直線側に位置することを特徴とする。
【０００７】
ここで、光出射前側とは、第１焦点に対して第２焦点側となる側、つまり光源装置の光出射側のことを指す。光出射後側とは、第２焦点に対して第１焦点側となる側、つまり光出射側の反対側を指す。
本発明では、第２反射部が、反射部材の光出射前側に位置するとともに、第１反射部を仮想的に延長した仮想延長部に対して仮想的な直線側に位置する。このことにより、反射部材全体の形状を、第２反射部が配設されている部分において、第１反射部を仮想的に延長した仮想延長部に対して凹んだ形状となるので、光源装置の小型化を図れる。
【０００８】
また、第１反射部及び第２反射部は、第１焦点及び第２焦点を焦点とする回転楕円面状にそれぞれ形成されており、第１焦点は、一対の電極の略中間位置に位置する。このことにより、発光部から出射された光のうち、第１反射部に入射した光は、第１反射部で反射されて第２焦点に向かって集光するように出射される。また、第２反射部に入射した光も、第２反射部で反射されて第２焦点に向かって集光するように出射される。これにより、光源装置の小型化のために第１反射部の反射領域を大きく確保できなくても、第２反射部によって反射領域を確保できるので、反射部材全体として十分な反射領域を確保できる。
したがって、光源装置の小型化を図りつつ、光源装置での光利用効率の低下を防止できる。
【０００９】
本発明の光源装置は、内部に一対の電極が配置された発光部を有する発光管と、前記一対の電極間の放電により前記発光部から出射された光を反射させる反射部材とを備えた光源装置であって、前記反射部材は、前記一対の電極の略中心位置に位置する第１焦点を焦点とし、前記発光部からの入射光を反射させ平行化する回転放物面状にそれぞれ形成された第１反射部及び第２反射部を備え、前記第２反射部は、前記反射部材の光出射前側に位置するとともに、前記第１反射部を仮想的に延長した仮想延長部に対して前記第１焦点から射出され前記反射部材で反射された光束の中心軸である仮想的な直線側に位置することを特徴とする。
【００１０】
本発明では、第２反射部が、反射部材の光出射前側に位置するとともに、第１反射部を仮想的に延長した仮想延長部に対して仮想的な直線側に位置する。このことにより、反射部材全体の形状を、第２反射部が配設されている部分において、第１反射部を仮想的に延長した仮想延長部に対して凹んだ形状となるので、光源装置の小型化を図れる。
【００１１】
また、第１反射部及び第２反射部は、一対の電極の略中間位置に位置する第１焦点を焦点とし、発光部からの入射光を反射させ平行化する回転放物面状にそれぞれ形成されている。このことにより、発光部から出射された光のうち、第１反射部に入射した光は、第１反射部で反射されて仮想的な直線に沿って平行化するように出射される。また、第２反射部に入射した光も、第２反射部で反射されて仮想的な直線に沿って平行化するように出射される。これにより、光源装置の小型化のために第１反射部の反射領域を大きく確保できなくても、第２反射部によって反射領域を確保できるので、反射部材全体として十分な反射領域を確保できる。
したがって、光源装置の小型化を図りつつ、光源装置での光利用効率の低下を防止できる。
【００１２】
本発明の光源装置では、前記第１反射部及び前記第２反射部を接続する透光性の接続部を備えることが好ましい。
本発明では、第１反射部及び第２反射部を接続する接続部が透光性を有しているため、発光部から出射された光が接続部に入射しても、この入射光は、接続部を透過して反射部材の外部に出射される。このため、接続部に入射した光が当該接続部で反射されて発光部に入射することを防止できるので、発光部への戻り光によって発光状態が影響を受けることを防止できる。
【００１３】
本発明の光源装置では、前記発光管は、前記発光部から延びる封止部を有し、前記反射部材は、前記第１反射部及び前記第２反射部を接続する接続部を備え、前記第１反射部には、前記封止部を固定する固定孔が形成されており、前記接続部の一部は、前記発光部から出射された光を前記固定孔に向けて反射させることが好ましい。
本発明では、発光部から出射され、接続部に入射した光は、接続部によって第１反射部に形成されている固定孔に向けて反射される。ここで、この固定孔には、発光部から延びる封止部が固定される。このため、接続部によって固定孔に向けて反射された光は、封止部及び固定孔を介して反射部材の外部に出射される。この際、発光部は封止部によって固定孔から離間した位置に位置するため、接続部に入射した光が接続部で反射されて発光部に入射することを防止できるので、発光部への戻り光によって発光状態が影響を受けることを防止できる。
【００１４】
本発明の光源装置では、前記第２反射部は、前記第１反射部とは別部材で構成されていることが好ましい。
本発明では、第２反射部が、第１反射部とは別部材で構成されているため、第１反射部及び第２反射部間に隙間が生じ得る。このため、発光部から出射された光のうち、この隙間部分に向けて出射された光は、この隙間を通過して反射部材の外部に出射される。このため、当該光が発光部に入射することを防止できるので、発光部への戻り光によって発光状態が影響を受けることを防止できる。
【００１５】
本発明のプロジェクターは、光束を変調して画像を形成し、形成した画像を投射するプロジェクターであって、前述した光源装置を備えることを特徴とする。
本発明では、プロジェクターが前述した光源装置を備えることで、前述した光源装置と同様の効果を奏することができる。
【図面の簡単な説明】
【００１６】
【図１】第１実施形態におけるプロジェクターの概略構成を示す図。
【図２】第１実施形態における光源装置の概略構成を示す斜視図。
【図３】第１実施形態における光源装置の概略構成を示す断面図。
【図４】第１実施形態における光源装置の動作を説明する図。
【図５】第２実施形態における光源装置の概略構成を示す断面図。
【図６】第３実施形態における光源装置の概略構成を示す斜視図。
【図７】第４実施形態における光源装置の概略構成を示す断面図。
【発明を実施するための形態】
【００１７】
［第１実施形態］
以下、本発明の第１実施形態を図面に基づいて説明する。
〔プロジェクターの構成〕
図１は、プロジェクター１の概略構成を示す図である。
プロジェクター１は、画像を投射してスクリーン(図示略)上に投影画像を表示する。
そして、このプロジェクター１は、図１に示すように、外装筐体２内部に収納される光学ユニット３を備える。
【００１８】
〔光学ユニットの構成〕
この光学ユニット３は、図１に示すように、光源装置４と、レンズアレイ３１１，３１２、偏光変換素子３１３、及び重畳レンズ３１４を有する照明光学装置３１と、ダイクロイックミラー３２１，３２２、及び反射ミラー３２３を有する色分離光学装置３２と、入射側レンズ３３１、リレーレンズ３３３、及び反射ミラー３３２，３３４を有するリレー光学装置３３と、光変調装置としての３つの液晶パネル３４１、３つの入射側偏光板３４２、３つの出射側偏光板３４３、及び色合成光学装置としてのダイクロイックプリズム３４４を有する光学装置３４と、投射レンズ３５と、内部に各光学部品３１〜３４を収納するとともに投射レンズ３５を支持する光学部品用筐体３６とを備える。
そして、光学ユニット３では、上述した構成により、光源装置４から出射され照明光学装置３１を介した光束は、色分離光学装置３２にて赤（Ｒ），緑（Ｇ），青（Ｂ）の３つの色光に分離される。また、分離された各色光は、各液晶パネル３４１にてそれぞれ変調される。変調された各色光は、プリズム３４４にて合成されて画像となり、投射レンズ３５にてスクリーンに投射される。
【００１９】
〔光源装置の構成〕
図２は、光源装置４の概略構成を示す斜視図である。
光源装置４は、図１または図２に示すように、光源ランプ５、反射部材６、平行化レンズ７（図１）、及び、これらの各部材５〜７を内部に収納するランプハウジング８（図１）を備える。なお、以下では光源ランプ５及び反射部材６について詳細に説明し、平行化レンズ７及びランプハウジング８については、図示及び詳しい説明を省略又は簡略する。
光源装置４は、図２に示すように、厚み寸法Ｔが幅寸法Ｗよりも小さく構成されている。そして、光源装置４は、この厚み方向がプロジェクター１の厚み方向（図１に示す紙面に直交する方向）と同じとなるように、プロジェクター１の外装筐体２内に設置される。
【００２０】
〔光源ランプの構成〕
図３は、光源装置４の概略構成を示す断面図である。具体的に、図３は、光源装置４を幅方向の中央位置で切断した断面図である。
光源ランプ５は、図３に示すように、石英ガラス管から構成される発光管５１と、この発光管５１内に配置される一対の電極５２Ａ，５２Ｂ及び図示しない封入物とを備える。
ここで、光源ランプ５としては、高輝度発光する種々の光源ランプを採用でき、例えば、メタルハライドランプ、高圧水銀ランプ、超高圧水銀ランプ等を採用できる。
【００２１】
発光管５１は、図３に示すように、中央部分に位置し略球状に膨出する発光部５１１と、この発光部５１１の両側から一対の電極５２Ａ，５２Ｂを通る仮想的な直線Ｌ１（以下、仮想線Ｌ１）に沿って略直線状に延びる一対の封止部５１２Ａ，５１２Ｂとで構成される。
発光部５１１には、略球状の放電空間Ｄが形成され、この放電空間Ｄ内に、一対の電極５２Ａ，５２Ｂと、水銀、希ガス、及び少量のハロゲンが封入される。
一対の封止部５１２Ａ，５１２Ｂ内部には、一対の電極５２Ａ，５２Ｂと電気的に接続される金属箔５１３がそれぞれ挿入され、ガラス材料等で封止されている。また、各金属箔５１３には、さらにリード線５１４がそれぞれ接続され、これらリード線５１４は、光源ランプ５の外部まで延出している。
そして、各リード線５１４に電圧を印加すると、各金属箔５１３を介して一対の電極５２Ａ，５２Ｂ間に放電が生じ、放電空間Ｄ内部が発光する。
【００２２】
〔反射部材の構成〕
反射部材６は、図３に示すように、仮想線Ｌ１を中心として発光部５１１を覆うように凹状に拡がるガラス製の成形品である。
反射部材６は、図２及び図３に示すように、第１反射部６１、一対の第２反射部６２及び一対の接続部６３を備える。なお、本実施形態では、第１反射部６１、一対の第２反射部６２及び一対の接続部６３を繋ぎ目なく一体的に形成しているが、これらをそれぞれ別個に形成し、接合することで一体的な形状としてもよい。
この反射部材６の内面は、図２及び図３では図示を省略したが、金属薄膜が蒸着形成されることで、入射した光束を反射させる反射面として機能する。なお、この反射面は、可視光を反射して赤外線及び紫外線を透過するコールドミラーとなっている。
【００２３】
〔第１反射部の構成〕
第１反射部６１は、図２及び図３に示すように、回転楕円面状に形成されており、内面が前述した金属薄膜の蒸着形成によって反射面６１Ｓ（図４）として機能する。
この第１反射部６１を形成する回転楕円面は、ともに仮想線Ｌ１上に位置する第１焦点Ｆ１（図４）及び第２焦点Ｆ２（図４）を焦点とする。第１焦点Ｆ１は、一対の電極５２Ａ，５２Ｂの略中心位置に位置する。また、第２焦点Ｆ２は、第１焦点Ｆ１に対して第２電極５２Ｂ側に位置する。なお、ここでいう略中心位置とは、厳密な中心位置だけでなく、製造上の誤差によって幾分ずれた場合や意図的に多少ずらした場合をも含むものである。
この第１焦点Ｆ１に対する第２焦点Ｆ２側が光源装置４から光が出射される側となる。以下、この第１焦点Ｆ１に対する第２焦点Ｆ２側を光出射前側と称し、この光出射前側の反対側（第２焦点Ｆ２に対する第１焦点Ｆ１側）を光出射後側と称して説明する。
第１反射部６１は、この回転楕円面における光出射前側を仮想線Ｌ１に直交する直交面で切除し、さらに、この回転楕円面の上側及び下側を、仮想線Ｌ１に平行し、当該仮想線Ｌ１を中心として互いに対向する平行面でそれぞれ切除した形状を有する。これにより、第１反射部６１は、光出射前側に向けて凹状に拡がる構成を有する。
【００２４】
第１反射部６１の光出射後側には、図３に示すように、固定孔６４が設けられている。
この固定孔６４は、反射部材６に光源ランプ５を取り付けるものであり、孔の中心が仮想線Ｌ１と一致している。この固定孔６４には、光出射後側の封止部５１２Ａが嵌入され、一対の電極５２Ａ，５２Ｂの略中間位置が第１焦点位置に位置するように、接着剤等で固着されている。
【００２５】
〔第２反射部の構成〕
一対の第２反射部６２は、図２に示すように、反射部材６の上面及び下面をそれぞれ形成する。
この一対の第２反射部６２も、図２及び図３に示すように、第１反射部６１と同様、第１焦点Ｆ１及び第２焦点Ｆ２を焦点とする回転楕円面状に形成されており、内面が金属薄膜の蒸着形成によって反射面６２Ｓ（図４）として機能する。
詳述すると、一対の第２反射部６２は、この回転楕円面の光出射前側を仮想線Ｌ１に直交する直交面で第１反射部６１と同じ位置で切除し、さらに、この回転楕円面の上側及び下側を、仮想線Ｌ１に平行し、当該仮想線Ｌ１を中心として互いに対向する平行面でそれぞれ切断して、その中央部分を除去して得られた形状を有している。これにより、一対の第２反射部６２も、それぞれ光出射前側に向けて凹状に拡がる構成を有する。
また、この一対の第２反射部６２は、図３に示すように、それぞれ反射部材６の光出射前側に位置するとともに、第１反射部６１を仮想的に延長した仮想延長部Ｓに対して仮想線Ｌ１側に位置する。具体的に、一対の第２反射部６２は、それぞれ、平面視で第１反射部６１内におさまる形状に構成される。
【００２６】
一対の接続部６３は、図２及び図３に示すように、一対の第２反射部６２をそれぞれ第１反射部６１と段差状に接続する。
この一対の接続部６３の光出射後側の内面の一部は、金属薄膜の蒸着形成によって、発光部５１１から出射されて入射された光を、固定孔６４（図３）に向けて反射させる反射面６３Ｓ（図４）として機能する。具体的に、この一対の接続部６３の一部は、図３に示すように、反射面６１Ｓの光出射後側の後端から反射面６２Ｓの光出射前側の前端までの、仮想線Ｌ１に沿う長さＡの中間位置よりも光出射後側に位置する部分（図３中、当該後端から前端に向って長さＡ／２までの部分）である。
以上のように構成された光源装置４は、以下に説明するように動作する。
【００２７】
〔光源装置の動作〕
図４は、光源装置４の動作を説明する図である。なお、図４では、主として光源ランプ５及び反射部材６の上側のみを図示しているが、下側についても同様である。
光源装置４は、一対の電極５２Ａ，５２Ｂに電圧が印加されると、第１焦点Ｆ１を中心として発光し、発光部５１１から放射状に光が出射される。
発光部５１１から出射された光は、反射部材６の内面（反射面６１Ｓ，６２Ｓ，６３Ｓ）に入射し、各反射面６１Ｓ，６２Ｓ，６３Ｓで反射される。
【００２８】
このうち、第１反射部６１及び一対の第２反射部６２で反射された光は、それぞれ焦点Ｆ２に向かって集光し、集光した光は、前述した平行化レンズ７によって平行化された後、光源装置４から出射される。
一方、一対の接続部６３に入射され、当該一対の接続部６３で反射された光Ｈ１は、固定孔６４に向かって進行する。そして、封止部５１２Ａを透過した後、固定孔６４を介して反射部材６の外部に出射される。
【００２９】
上述した第１実施形態によれば、以下の効果がある。
一対の第２反射部６２が、反射部材６の光出射前側に位置するとともに、仮想延長部Ｓに対して仮想線Ｌ１側に位置する。このことにより、反射部材６全体の形状を、一対の第２反射部６２が配設されている部分において仮想延長部Ｓに対して凹んだ形状となるので光源装置４の小型化を図れる。プロジェクター１には、一対の第２反射部６２がそれぞれ上面及び下面となるように光源装置４が設置されるので、プロジェクター１の薄型化を図れる。
【００３０】
また、第１反射部６１及び一対の第２反射部６２は、第１焦点Ｆ１及び第２焦点Ｆ２を焦点とする回転楕円面状にそれぞれ形成されており、第１焦点Ｆ１は、一対の電極５２Ａ，５２Ｂの略中間位置に位置する。このことにより、発光部５１１から出射された光のうち、第１反射部６１及び一対の第２反射部６２に入射した光は、ともに第２焦点Ｆ２に向かって集光するように出射される。これにより、光源装置４の小型化のために第１反射部６１の反射領域を大きく確保できなくても、一対の第２反射部６２によって反射領域を確保できるので、反射部材６全体として十分な反射領域を確保できる。
したがって、光源装置４の小型化を図りつつ、光源装置４での光利用効率の低下を防止できる。
【００３１】
また、発光部５１１から出射され、一対の接続部６３に入射した光Ｈ１は、当該一対の接続部６３によって第１反射部６１に形成されている固定孔６４に向けて反射される。固定孔６４には、発光部５１１から延びる封止部５１２Ａが固定されているため、この一対の接続部６３によって固定孔６４に向けて反射された光Ｈ１は、封止部５１２Ａ及び固定孔６４を介して反射部材６の外部に出射される。この際、発光部５１１は封止部５１２Ａによって固定孔６４から離間した位置に配置されているため、一対の接続部６３に入射した光Ｈ１が当該一対の接続部６３で反射されて発光部５１１に入射することを防止でき、発光部５１１への戻り光によって発光状態が影響を受けることを防止できる。
さらに、一対の接続部６３で反射された光Ｈ１は、固定孔６４を介して反射部材６から光出射後側に向って出射されるため、漏れ光による影響を抑えることができる。なお、この固定孔６４を介して出射される光Ｈ１を吸収する構成をランプハウジング８が備える構成とすれば、当該影響をなくすことができる。
【００３２】
［第２実施形態］
次に、本発明の第２実施形態を図面に基づいて説明する。
以下の説明では、前記第１実施形態と同様の構造及び同一部材には同一符号を付し、その詳細な説明は省略または簡略化する。
前記第１実施形態では、反射部材６の一対の接続部６３に反射面６３Ｓが形成されていたが、本実施形態では、反射部材の一対の接続部に反射面が形成されていない点が第１実施形態と相違する。
【００３３】
図５は、本実施形態における光源装置４Ａの概略構成を示す断面図である。
光源装置４Ａは、図５に示すように、反射部材６Ａを備える。
反射部材６Ａは、透光性を有するガラス製の成形品であり、第１反射部６１及び一対の第２反射部６２を接続する一対の接続部６３Ａを備えている。
この反射部材６Ａでは、一対の接続部６３Ａの内面には、金属薄膜が蒸着形成されておらず、つまり反射面が形成されておらず、その代わりに入射した光を透過させる構成となっている。つまり、発光部５１１から出射され、一対の接続部６３Ａに入射した光Ｈ２は、接続部６３Ａを透過して反射部材６Ａの外部に出射される。
【００３４】
上述した第２実施形態によれば、前記第１実施形態と同様の効果を享受できる。
すなわち、第１実施形態と同様、光源装置４Ａの小型化、ひいてはプロジェクターの薄型化を図りつつ、光源装置４Ａでの光利用効率の低下を防止できる。
また、一対の接続部６３Ａが透光性を有しているため、発光部５１１から出射され、一対の接続部６３Ａに入射した光Ｈ２は、図５に示すように、当該一対の接続部６３Ａを透過して反射部材６Ａの外部に出射される。このため、一対の接続部６３Ａに入射した光Ｈ２が当該一対の接続部６３Ａで反射されて発光部５１１に入射することを防止できるので、発光部５１１への戻り光によって発光状態が影響を受けることを防止できる。
なお、この一対の接続部６３Ａを透過して出射される光Ｈ２を吸収する構成をランプハウジング８が備える構成とすれば、漏れ光による影響をなくすことができる。
【００３５】
［第３実施形態］
次に、本発明の第３実施形態を図面に基づいて説明する。
前記第１実施形態では、第１反射部６１及び一対の第２反射部６２を一対の接続部６３で接続し、第１反射部６１及び一対の第２反射部６２を一つの部材で構成していたが、本実施形態では、一対の接続部を設けず、第１反射部及び各第２反射部をそれぞれ別部材で構成している点が第１実施形態と相違する。
【００３６】
図６は、本実施形態における光源装置４Ｂの概略構成を示す斜視図である。
光源装置４Ｂは、図６に示すように、反射部材６Ｂを備える。
反射部材６Ｂは、第１反射部６１Ｂ及び一対の第２反射部６２Ｂを備える。
この第１反射部６１Ｂ及び一対の第２反射部６２Ｂは、それぞれ別部材として形成されたガラス製の成形品である。
そして、一対の第２反射部６２Ｂは、それぞれ第１反射部６１Ｂに対して隙間Ｍを設けて配設される。つまり、第１反射部６１Ｂ及び各第２反射部６２Ｂの間には、接続部が設けられる代わりに隙間Ｍが形成されている。なお、図示を省略するが、第１反射部６１Ｂ及び一対の第２反射部６２Ｂは、ランプハウジング（図示略）に取り付けられることでそれぞれ位置決めが行われる。具体的に、一対の第２反射部６２Ｂは、外面がランプハウジングにそれぞれ固定される。
【００３７】
上述した第３実施形態によれば、前記第１実施形態と同様の効果を享受できる。
すなわち、第１実施形態と同様、光源装置４Ｂの小型化、ひいてはプロジェクターの薄型化を図りつつ、光源装置４Ｂでの光利用効率の低下を防止できる。
また、各第２反射部６２Ｂが第１反射部６１Ｂに対してそれぞれ隙間Ｍを有して配設されているため、発光部５１１から出射された光のうち、第１反射部６１Ｂ及び各第２反射部６２Ｂ間の隙間Ｍに向けて出射された光は、この隙間Ｍを通過して反射部材６Ｂの外部に出射される。このため、当該光が発光部５１１に入射することを防止できるので、発光部５１１への戻り光によって発光状態が影響を受けることを防止できる。
また、この隙間Ｍを通過して出射される光を吸収する構成をランプハウジング８が備える構成とすれば、漏れ光による影響をなくすことができる。
【００３８】
［第４実施形態］
次に、本発明の第４実施形態を図面に基づいて説明する。
前記第１実施形態では、第１反射部６１及び一対の第２反射部６２は、回転楕円面状に形成されていたが、本実施形態では、第１反射部及び第２反射部が回転放物面で構成されている点が第１実施形態とは相違する。
【００３９】
図７は、本実施形態における光源装置４Ｃの概略構成を示す断面図である。
光源装置４Ｃは、図７に示すように、反射部材６Ｃを備える。
反射部材６Ｃは、第１反射部６１Ｃ及び一対の第２反射部６２Ｃを備える。
第１反射部６１Ｃは、光出射前側に向けて凹状に拡がる回転放物面状に形成されている。この第１反射部６１Ｃを形成する回転放物面は、仮想線Ｌ１上の第１焦点Ｆ１を焦点とし、仮想線Ｌ１を中心軸として、発光部５１１（第１焦点Ｆ１）からの入射光を反射させ平行な光束とする形状を有している。
一対の第２反射部６２Ｃも、光出射前側に向けて凹状に拡がる回転放物面状に形成されており、この回転放物面も、第１反射部６１Ｃと同様、第１焦点Ｆ１を焦点とし、仮想線Ｌ１を中心として、発光部５１１からの入射光を反射させ平行化する形状を有している。
【００４０】
上述した第４実施形態によれば、前記第１実施形態と同様の効果を享受できる。
すなわち、第１実施形態と同様、光源装置４Ｃの小型化を図れ、ひいては、プロジェクターの薄型化を図れる。
また、第１反射部６１Ｃ及び第２反射部６２Ｃは、第１焦点Ｆ１を焦点とし、発光部５１１からの入射光を反射させ平行化する回転放物面状にそれぞれ形成されており、第１焦点Ｆ１は、一対の電極５２Ａ，５２Ｂの略中間位置に位置する。このことにより、発光部５１１から出射された光のうち、第１反射部６１Ｃに入射した光は、第１反射部６１Ｃで反射されて仮想線Ｌ１に沿って平行化するように出射される。また、第２反射部６２Ｃに入射した光も、第２反射部６２Ｃで反射されて仮想線Ｌ１に沿って平行化するように出射される。これにより、光源装置４Ｃの小型化のために第１反射部６１Ｃの反射領域を大きく確保できなくても、第２反射部６２Ｃによって反射領域を確保できるので、反射部材６Ｃ全体として十分な反射領域を確保できる。
さらに、第１実施形態と同様、発光部５１１から出射され、一対の接続部６３に入射した光Ｈ１は、接続部６３によって固定孔６４に向けて反射されるので、発光部５１１への戻り光によって発光状態が影響を受けることを防止できる。
また、第１反射部６１Ｃ及び一対の第２反射部６２Ｃで反射された光は、仮想線Ｌ１に沿って平行化して出射されるため、平行化レンズを省略できる。
【００４１】
なお、本発明は、前述の実施形態に限定されるものではなく、本発明の目的を達成できる範囲での変形、改良等は本発明に含まれるものである。
前記各実施形態では、１つの第１反射部６１，６１Ｂ，６１Ｃと、一対の第２反射部６２，６２Ｂ，６２Ｃを反射部材６が有していたが、反射部材６を構成する各部材の数はこれに限らない。例えば、第２反射部６２，６２Ｂ，６２Ｃ及び接続部６３，６３Ａは、一対に限らず単数であってもよいし、３つ以上であってもよい。
前記第１実施形態では、光出射前側を除く第１反射部６１及び一対の第２反射部６２間の全域に接続部６３を有する構成としたが、接続部６３は、部分的に設けてもよい。第２及び第４実施形態や第３実施形態における隙間Ｍについても同様である。
前記第１実施形態では、反射部材６の内面すべてに金属薄膜を蒸着することで、接続部６３の内面すべてが反射面６３Ｓとしての機能を有する構成について例示したが、反射面の形成はこれに限らない。例えば、前述した光Ｈ１を固定孔６４に向けて反射させる機能を有する部分のみに形成してもよい。第４実施形態についても同様である。
【００４２】
前記各実施形態では、３つの液晶パネル３４１を用いたプロジェクター１の例のみを挙げたが、本発明は、１つの液晶パネルのみを用いたプロジェクター、２つの液晶パネルを用いたプロジェクター、あるいは、４つ以上の液晶パネルを用いたプロジェクターにも適用可能である。
前記各実施形態では、光入射面と光出射面とが異なる透過型の液晶パネルを用いていたが、光入射面と光出射面とが同一となる反射型の液晶パネルを用いてもよい。
前記各実施形態では、光変調装置として液晶パネルを用いていたが、マイクロミラーを用いたデバイスなど、液晶以外の光変調装置を用いてもよい。この場合は、各偏光板３４２，３４３は省略できる。
前記各実施形態では、スクリーンを観察する方向から投射を行うフロントタイプのプロジェクターの例のみを挙げたが、本発明は、スクリーンを観察する方向とは反対側から投射を行うリアタイプのプロジェクターにも適用可能である。
前記各実施形態では、プロジェクターに本発明の光源装置を採用していたが、本発明はこれに限らず、他の光学機器に本発明の光源装置を採用してもよい。
【産業上の利用可能性】
【００４３】
本発明は、プレゼンテーションやホームシアターに用いられるプロジェクターの光源装置として利用できる。
【符号の説明】
【００４４】
１・・・プロジェクター、４，４Ａ，４Ｂ，４Ｃ・・・光源装置、６，６Ａ，６Ｂ，６Ｃ・・・反射部材、５１・・・発光管、５２Ａ，５２Ｂ・・・電極、６１，６１Ｂ，６１Ｃ・・・第１反射部、６２，６２Ｂ，６２Ｃ・・・第２反射部、６３，６３Ａ・・・接続部、６４・・・固定孔、５１１・・・発光部、５１２Ａ，５１２Ｂ・・・封止部、Ｆ１・・・第１焦点、Ｆ２・・・第２焦点、Ｌ１・・・仮想的な直線、Ｓ・・・仮想延長部。
【図１】
2012194228.tif 000003
【図２】
2012194228.tif 000004
【図３】
2012194228.tif 000005
【図４】
2012194228.tif 000006
【図５】
2012194228.tif 000007
【図６】
2012194228.tif 000008
【図７】
2012194228.tif 000009